(57)【要約】【課題】完全止水構造の橋脚補修・補強工事に用いる仮締切り構造体を提供すること。【解決手段】複数の分割壁材２が、止水材４を介して橋脚１の周方向および高さ方向に連結されることにより橋脚１の外周を囲む筒状体に構成されている橋脚補修・補強工事に用いる仮締切り構造体Ａであって、隣接する前記分割壁材２間に介在される前記止水材４は、パッキン５の表裏面に水膨張性シール６が付設された三層構造材に構成されている橋脚補修・補強工事に用いる仮締切り構造体。【選択図】図２
2020033696.tif 000002
【特許請求の範囲】
【請求項１】
複数の分割壁材が、止水材を介して橋脚の周方向および高さ方向に連結されることにより橋脚の外周を囲む筒状体に構成されている橋脚補修・補強工事に用いる仮締切り構造体であって、隣接する前記分割壁材間に介在される前記止水材は、パッキンの表裏面に水膨張性シールが付設された三層構造材に構成されていることを特徴とする橋脚補修・補強工事に用いる仮締切り構造体。
【請求項２】
前記止水材は、シート状の前記パッキンの表裏面に、シート状の前記水膨張性シールが付設されたシート状の三層構造材に構成されていることを特徴とする請求項１記載の橋脚補修・補強工事に用いる仮締切り構造体。
【請求項３】
前記止水材は、天然ゴム製若しくは合成ゴム製の前記パッキンの表裏面に、熱可塑性エラストマーと高吸水性ポリマーからなる前記水膨張性シールが付設された三層構造材に構成されていることを特徴とする請求項１，２のいずれか１項に記載の橋脚補修・補強工事に用いる仮締切り構造体。
【請求項４】
前記分割壁材は、外周部に連結用フランジ部が設けられており、隣接するこの分割壁材の連結用フランジ部間に前記止水材が介在されていることを特徴とする請求項１〜３のいずれか１項に記載の橋脚補修・補強工事に用いる仮締切り構造体。
【発明の詳細な説明】
【技術分野】
【０００１】
本発明は、河川や海などの水域に設けられている橋脚の補修・補強工事に用いる仮締切り構造体に関するものである。
【背景技術】
【０００２】
河川や海などに架けられた橋は、その橋脚に経年劣化や地震などにより損傷を生じると、補修・補強工事を行う。
【０００３】
具体的には、橋脚の周囲に筒状の仮締切り構造体を構築し、この仮締切り構造体によって水がその内側に入らないようにして作業スペース（ドライエリア）を確保する（例えば、特許文献１参照）。
【０００４】
また、この仮締切り構造体について説明すると、複数の分割壁材が、止水用のパッキンを介して橋脚の周方向および高さ方向に連結されることにより橋脚の外周を囲む筒状体に構成されている。
【先行技術文献】
【特許文献】
【０００５】
【特許文献１】特許第６２７３３２８号公報
【発明の概要】
【発明が解決しようとする課題】
【０００６】
仮締切り構造体は、上記したように複数の分割壁材間に例えば合成ゴム製のパッキンを介在させることによって内側に水が入り込まないようにしているが、このような止水構造では、特に水深が深いところに仮締切り構造体を設置した際には、水圧の影響でパッキンに変形を生じて水漏れ（仮締切り構造体内へ浸水）しまうことがあった。
【０００７】
本発明は、このような問題点に注目し、これを解決しようとするもので、内部に水が浸入しない完全止水を実現できる橋脚補修・補強工事に用いる仮締切り構造体を提供するものである。
【課題を解決するための手段】
【０００８】
添付図面を参照して本発明の要旨を説明する。
【０００９】
複数の分割壁材２が、止水材４を介して橋脚１の周方向および高さ方向に連結されることにより橋脚１の外周を囲む筒状体に構成されている橋脚補修・補強工事に用いる仮締切り構造体Ａであって、隣接する前記分割壁材２間に介在される前記止水材４は、パッキン５の表裏面に水膨張性シール６が付設された三層構造材に構成されていることを特徴とする橋脚補修・補強工事に用いる仮締切り構造体に係るものである。
【００１０】
また、前記止水材４は、シート状の前記パッキン５の表裏面に、シート状の前記水膨張性シール６が付設されたシート状の三層構造材に構成されていることを特徴とする請求項１記載の橋脚補修・補強工事に用いる仮締切り構造体に係るものである。
【００１１】
また、前記止水材４は、天然ゴム製若しくは合成ゴム製の前記パッキン５の表裏面に、熱可塑性エラストマーと高吸水性ポリマーからなる前記水膨張性シール６が付設された三層構造材に構成されていることを特徴とする請求項１，２のいずれか１項に記載の橋脚補修・補強工事に用いる仮締切り構造体に係るものである。
【００１２】
また、前記分割壁材２は、外周部に連結用フランジ部３が設けられており、隣接するこの分割壁材２の連結用フランジ部３間に前記止水材４が介在されていることを特徴とする請求項１〜３のいずれか１項に記載の橋脚補修・補強工事に用いる仮締切り構造体に係るものである。
【発明の効果】
【００１３】
本発明は上述のように構成したから、仮締切り構造体が水に浸かると、止水材の二層の水膨張性シールが吸水し膨張してパッキンだけでは埋めきれなかった隣接する分割壁材間の隙間を埋めることになり、これにより分割壁材間が完全に止水されて、水深の深いところでの橋脚補修・補強工事であっても、仮締切り構造体内への水漏れを生じることなく仮締切り構造体内で良好に橋脚補修・補強作業を行うことができる極めて実用性に優れた橋脚補修・補強工事に用いる仮締切り構造体となる。
【００１４】
また、請求項２記載の発明においては、複数の分割壁材間にシート状の止水材（三層構造材）を介在させることが容易に可能となる一層実用性に優れた構成の橋脚補修・補強工事に用いる仮締切り構造体となる。
【００１５】
また、請求項３記載の発明においては、前記作用効果を確実に発揮する止水材を簡易構成にして容易に設計実現可能となる一層実用性に優れた構成の橋脚補修・補強工事に用いる仮締切り構造体となる。
【００１６】
また、請求項４記載の発明においては、複数の分割壁材間が止水材（三層構造材）で確実に止水される構成を簡易に設計実現可能となる一層実用性に優れた構成の橋脚補修・補強工事に用いる仮締切り構造体となる。
【図面の簡単な説明】
【００１７】
【図１】本実施例の使用状態を示す概略説明図である。
【図２】本実施例の要部を示す説明拡大分解斜視図である。
【発明を実施するための形態】
【００１８】
好適と考える本発明の実施形態を、図面に基づいて本発明の作用を示して簡単に説明する。
【００１９】
本発明の仮締切り構造体Ａは、複数の分割壁材２が、止水材４を介して橋脚１の周方向および高さ方向に連結されることにより橋脚１の外周を囲む筒状体に構成されているが、隣接する前記分割壁材２間に介在される前記止水材４は、パッキン５の表裏面に水膨張性シール６が付設された三層構造材に構成されている。
【００２０】
この仮締切り構造体Ａを橋脚１に沿って水中へ降下させると、水に浸かった部分の前記止水材４は、そのうちの二層の水膨張性シール６が吸水し膨張してパッキン５だけでは埋めきれなかった隣接する分割壁材２間の隙間を埋めることになる。
【００２１】
従って、止水材４によって分割壁材２間が完全に止水されることになり、たとえ水深の深いところでの橋脚補修・補強工事であっても、仮締切り構造体Ａ内への水漏れを生じることなく仮締切り構造体Ａ内で良好に橋脚補修・補強作業を行うことができる。
【実施例】
【００２２】
本発明の具体的な実施例について図面に基づいて説明する。
【００２３】
本実施例の仮締切り構造体Ａは、中心部に橋脚１を貫通配設する貫通孔部７が設けられている底板材８の外周縁に、円筒状の囲い壁９が立設状態に連結された有底円筒状に構成されている。尚、仮締切り構造体Ａの形状は、本実施例に限らず、橋脚１の形状に応じて適宜設計変更可能である。
【００２４】
また、この囲い壁９は、複数の分割壁材２が、止水材４を介して橋脚１の周方向および高さ方向に連結されることにより橋脚１の外周を囲む円筒状体に構成されている。
【００２５】
更に詳しくは、前記分割壁材２として採用された平面視湾曲板状で正面視横長方形状のライナープレート２を、前記橋脚１の周方向および高さ方向に複数組み合せ連結して所要高さの前記円筒状囲い壁９が形成されている。
【００２６】
また、ライナープレート２は、外周部に内向きに突出する連結用フランジ部３が設けられていて、隣接するライナープレート２のこの連結用フランジ部３同志を図示省略のボルト・ナットで連結し得るように構成されており、隣接するこの分割壁材２の外周全周の連結用フランジ部３間に帯状の前記止水材４が介在されている。
【００２７】
本実施例の止水材４は、図１，図２に示すように、薄厚シート状のパッキン５の表裏面に、薄厚シート状の水膨張性シール６が付設されたシート状の三層構造材に構成されている。
【００２８】
また、パッキン５は、合成ゴム製（例えば、ＥＰＤＭ（エチレンプロピレンジエンゴム）スポンジゴム製）であって、前記接続用フランジ部３に沿って付設可能な帯状形態のものが採用されている。尚、天然ゴム製のパッキン５が採用されていても良い。
【００２９】
また、水膨張性シール６は、熱可塑性エラストマーと高吸水性ポリマーからなるものであって、前記パッキン５をより薄厚で且つパッキン５と同等の帯状形態のもの採用されている。
【００３０】
更に詳しくは、本実施例の水膨張性シール６は、日本化学塗料株式会社製のケミカシート（登録商標）が採用されており、このケミカシートに備わっている片面の粘着部を利用して、ケミカシートが前記パッキン５の表裏面に重合状態に付設されている。
【００３１】
この三層構造の止水材４が、その表裏の水膨張性シール６が、隣接する分割壁材２の夫々の連結用フランジ部３に接するようにして複数の分割壁材２間に介在されており、図１に示すように、仮締切り構造体Ａを橋脚１に沿って水中へ降下させると、水に浸かった部分の止水材４の外側二層の水膨張性シール６が吸水し膨張してパッキン５だけでは埋めきれなかった隣接する分割壁材２間の隙間を埋めることになり、これによって分割壁材２間が完全に止水されるように構成されている。
【００３２】
出願人の試作実験によると、止水材４として、パッキン５一層だけのものや、水膨張性シール６一層だけのものや、パッキン５の片面にだけ水膨張性シール６が付設された二層構造のものを使用した場合には水漏れを生じてしまうことがあったが、本実施例の三層構造の止水材４によれば、完全止水を達成できることが確認されている。
【００３３】
図中符号10は仮締切り構造体Ａを水の浮力に抗して水中に止める浮上防止用ブラケットである。
【００３４】
尚、本発明は、本実施例に限られるものではなく、各構成要件の具体的構成は適宜設計し得るものである。
【符号の説明】
【００３５】
１  橋脚
２  分割壁材
３  連結用フランジ部
４  止水材
５  パッキン
６  水膨張性シール
Ａ  仮締切り構造体
【図１】
2020033696.tif 000003
【図２】
2020033696.tif 000004